(57)【要約】ＬＣＯＳ表示装置における輪郭を除去する方法（３０）は、正画像と負画像から構成される二重フレーム入力信号（３２）を受け取る段階を含む。ガンマテーブルにより指定される第１ディザ（３６）を入力信号に適用することが可能である。前記第１ディザは、負画像又は正画像の原色ガンマ値を選択的に修正することが可能である。また、第２ディザ（３４）をガンマテーブルの入力において入力信号に適用することが可能である。第１ディザと第２ディザは連続的な入力レベルのための減少した輝度レベルの反復をもつ出力信号をもたらすことが可能である。
2004516520.tif 000002
【特許請求の範囲】
【請求項１】
ＬＣＯＳ表示装置において輪郭を低減する方法であって：
正画像と負画像とから構成される二重フレーム入力信号を受け取る段階；及び
第１ディザを前記入力信号に適用する段階であって、前記第１ディザは前記入力信号において低減された輪郭をもたらす１つの前記画像の原色ガンマ値を選択的に修正する段階；
から構成される方法。
【請求項２】
請求項１に記載の方法であって、前記第１ディザはガンマテーブルにより指定される方法。
【請求項３】
請求項１に記載の方法であって、前記画像のうちの前記１つは前記負画像である方法。
【請求項４】
請求項１に記載の方法であって、前記画像のうちの前記１つは前記正画像である方法。
【請求項５】
請求項１に記載の方法であって、前記入力信号は８ビット信号であり、且つ前記出力信号は１０ビット信号である方法。
【請求項６】
記請求項１に記載の方法であって、前記原色は、赤、緑及び青からなるグループから選択される方法。
前記入力信号に第２ディザを適用する段階であって、前記第１ディザ及び第２ディザは、連続する入力レベルのために減少した輝度レベルの反復をもつ出力信号をもたらす段階、から更に構成される方法。
【請求項７】
請求項１に記載の方法であって：
前記入力信号に第２ディザを適用する段階であって、前記第１ディザ及び第２ディザは、連続する入力レベルのために減少した輝度レベルの反復をもつ出力信号をもたらす段階、から更に構成される方法。
【請求項８】
請求項７に記載の方法であって、前記第１ディザはガンマテーブルにより指定され、且つ前記第２ディザは前記ガンマテーブルの入力に適用される方法。
【請求項９】
前記請求項７に記載の方法であって、前記第２ディザは、前記入力信号に１つの最下位ビットのディザ信号を適用することにより実行される方法。
【請求項１０】
前記請求項９に記載の方法であって、前記第２ディザは５点形形状を形成する方法。
【請求項１１】
前記請求項１０に記載の方法であって、前記５点形形状は一の向きと一の向きの逆向きを交互に繰り返す方法。
【請求項１２】
前記請求項７に記載の方法であって、前記第２ディザは、２つの状態のディザ、４つの状態のディザ及び８つの状態のディザを含むグループから選択される方法。
【請求項１３】
ＬＣＯＳにおける輪郭を低減する方法であって：
正画像及び負画像から構成される二重フレーム入力信号を受け取る段階；及び
第１ディザを前記入力信号に適用する段階であって、前記第１ディザは、前記入力信号に１つの最下位ビットのディザ信号を適用することにより実施される、段階；
から構成される方法。
【請求項１４】
ＬＣＯＳにおける輪郭を低減する方法であって：
（ａ）正画像及び負画像から構成される二重フレーム入力信号を受け取る段階；及び
（ｂ）第１ディザを前記入力信号に適用する段階であって、前記第１ディザはガンマテーブルにより指定され、且つ前記画像の１つの原色ガンマ値を選択的に修正する段階；並びに
（ｃ）前記ガンマテーブルの入力において前記入力信号に第２ディザを適用する段階であって、前記第１ディザ及び第２ディザは連続的な入力レベルのために減少した輝度レベルの反復をもつ出力信号をもたらす段階；
から構成される方法。
【請求項１５】
表示装置における輪郭を低減するためのマルチプルディザシステムであって：
記憶されるガンマテーブルをもつメモリであって、前記ガンマテーブルは、正画像と負画像から構成される、受け取られる二重フレーム入力信号に適用するために、第１ディザを指定し、前記第１ディザは、前記画像の１つの少なくとも１つの原色ガンマ値を選択的に修正する、メモリ；
前記メモリに通信可能であるように接続されるプロセッサであって、前記プロセッサは前記ガンマテーブルを生成し、且つ前記メモリにおける前記ガンマテーブルをロードする、プロセッサ；
前記プロセッサに通信可能であるように接続されるディザユニットであって、前記ディザユニットは、１つの最下位ビットのディザ信号から構成される第２ディザを、前記ガンマテーブルへの入力における入力信号に適用する、ディザユニット；並びに
前記マルチプルディザリングがなされた入力信号に基づいて画像を生成するためのＬＣＯＳ；
から構成されるシステム。
【請求項１６】
請求項１５に記載のシステムであって、
アナログデジタルコンバータであって、前記アナログデジタルコンバータは前記入力信号をデジタル化し、且つ前記デジタル化された入力信号を前記プロセッサに供給する段階；
から更に構成されるシステム。
【請求項１７】
請求項１５に記載のシステムであって、前記画像の前記１つが前記負画像であり、且つ前記ガンマテーブルが正の位置とディザリングされた負の位置をもつ、システム。
【請求項１８】
請求項１５に記載のシステムであって、前記画像の前記１つが前記正画像であり、且つ前記ガンマテーブルがディザリングされた正の位置と負の位置をもつシステム。
【発明の詳細な説明】
【０００１】
（技術分野）
本発明は、映写システムにおけるＬＣＯＳ（Ｌｉｑｕｉｄ Ｃｒｙｓｔａｌ Ｏｎ Ｓｉｌｉｃｏｎ）技術を利用するプロジェクションテレビの分野に関し、特に、ＬＣＯＳ高精細度テレビ（ＨＤＴＶ：Ｈｉｇｈ Ｄｅｆｉｎｉｔｉｏｎ Ｔｅｌｅｖｉｓｉｏｎ）に適合する輪郭削減方法及びシステムに関する。
【０００２】
（背景技術）
ＬＣＯＳ技術を利用する光エンジンは、画像転送機能において著しい非線形性をもっている。ガンマテーブルと称されるデジタルルックアップテーブルを用いて、この非線形性を補正することが可能である。ガンマテーブルは、しかしながら、解像度が制限され、そのテーブルの低い階調度部分において同じ出力値（反復状態）を生成する連続的な入力値を結果的に得る。反復状態の一部は３回繰り返され、表示装置により生成される画像において重大で不所望の輪郭が生成される。
【０００３】
ＬＯＣＳ技術は近年発達をみる技術である。従って、この分野の先行技術は殆んどない。具体的には、ブルートフォース解決法（ｂｒｕｔｅ−ｆｏｒｃｅ ｓｏｌｕｔｉｏｎ）は、非線形性に適応する十分な解像度をもつガンマテーブルを用いている。場合によっては、例えば、ガンマテーブルに記憶された１０ビットの値は２ビットだけ増加する、即ち１０ビットから１２ビットまで増加する。そのテーブルの解像度は、しかしながら、画像供給器の制御下にしばしばおかれる。その結果、そのテーブルの解像度は容易にまたは即座に変えられることはない。時間のかかる又はコストのかかるデザイン上の努力なしに、解像度、又は少なくとも見かけの解像度を増加させるための方法及び／又は装置に対する明確な要求がある。
【０００４】
（発明の概要）
ここで開示する本発明の実施形態は、ＬＣＯＳ（Ｌｉｑｕｉｄ Ｃｒｙｓｔａｌ Ｏｎ Ｓｉｌｉｃｏｎ）技術を利用する表示装置において達成できる画像品質を改良するための方法及びシステムを提供する。本発明の実施形態の配置に従って、ＬＣＯＳ画像化転送機能の著しい非線形性を、デジタルガンマテーブルを用いて、補正することが可能である。更に、ガンマテーブルを用いることによりしばしば生成される輪郭を、１つ又はそれ以上のディザを用いて、補正することが可能である。
【０００５】
本発明の第１の特徴は、正画像と負画像から構成される二重フレーム入力信号を受け取る段階を含む、ＬＣＯＳ表示装置における輪郭を除去するための方法を含む。第１ディザを入力信号に適用することが可能である。第１ディザ、例えばテーブルディザは、入力信号における低減された輪郭をもたらす、画像の１つの原色ガンマ値を選択的に修正することが可能である。また、本発明の第２の実施形態においては、第１ディザは、入力信号に適用することが可能である１つの最下位ビットのディザ信号とすることが可能である。
【０００６】
本発明の第３の実施形態は、正画像と負画像を有する二重フレーム入力信号を受け取る段階を含むＬＣＯＳ表示装置における輪郭を低減するための方法を含む。第１ディザを入力信号に適用することが可能である。第１ディザ、例えばテーブルディザは、ガンマテーブルにより指定することが可能であり、画像の１つの原色ガンマ値を選択的に修正することが可能である。ガンマテーブルの入力において第２ディザを入力信号に適用することが可能である。第２ディザは、入力信号に適用することが可能である１つの最下位ビットのディザ信号とすることが可能である。第１ディザ及び第２ディザの適用は、連続的な入力レベルのための減少した輝度レベルの反復をもつ出力信号を結果的に得ることが可能である。
【０００７】
最終的に、本発明は、表示装置において輪郭を低減するためのマルチプルディザシステムを含むことが可能である。本発明は、記憶されるガンマテーブルをもつメモリを含むことが可能である。ガンマテーブルは、正画像及び不画像をもつ、受け取られる二重フレーム入力信号に適用する第１ディザを指定することが可能である。第１ディザは、画像の１つの少なくとも１つの原色ガンマ値を選択的に修正することが可能である。このシステムは、メモリに通信可能であるように接続されたプロセッサを含むことが可能である。プロセッサはガンマテーブルを生成し、メモリにガンマテーブルをロードすることが可能である。また、多数回ディザリングされた入力信号に基づいて画像を生成するために、ＬＣＯＳは備えることが可能である。
【０００８】
（発明の詳細な説明）
ここで開示する本発明の実施形態は、ＬＣＯＳ（Ｌｉｑｕｉｄ Ｃｒｙｓｔａｌ Ｏｎ Ｓｉｌｉｃｏｎ）技術を利用する表示装置において達成できる画像品質を改良するための方法及びシステムを提供する。本発明の実施形態の配置に従って、ＬＣＯＳ画像化転送機能の著しい非線形性を、デジタルガンマテーブルを用いて、補正することが可能である。しかしながら、多重ディザリングによりこのテーブルの応答を著しく改善することが可能である。第１ディザリングは、例えば第１ディザのより、１つ又はそれ以上の原色ガンマ値を変えることが可能である。正の画像又は負の画像のために、原色ガンマ値を変えることが可能であり、ここで用いる原色はスペクトルの３原色、即ち青、緑及び赤とすることが可能である。この第１ディザは、輪郭化に関していくらかの画像の修正を施すことが可能である。更に、ガンマテーブルの入力における信号に適用される第２ディザにより、輪郭の実質的な低減を達成することが可能である。
【０００９】
ＬＣＯＳ表示装置においては、典型的に、所定の入力画像に応じて、第１に標準フレーム（正の画像）及び次に逆フレーム（負の画像）を送ることにより、フレーム２重信号を用いてイメージャを動作する。正及び負の画像のジェネレーションは、各々の画素が正電界及びそれに続く負電界を用いて書き込みされることを確実にする。結果として得られる動作電界は、画像焼き付き、及び最終的には画像の永久的な劣化を回避するために必要であるゼロＤＣ成分をもっている。輪郭が画像における可視的な欠陥又はアーチファクトとして認識される範囲において、人間の眼がこれら正及び負の画像により得られる画素の輝度の平均値に反応することが分かってきた。
【００１０】
ＬＣＯＳイメージャの動作電界対輝度の関係は、非線形性動作を補償する信号を必要とする非常に非線形な機能を生成する。ガンマテーブルと呼ばれるデジタルルックアップテーブルは、この非線形動作信号を生成することが可能であるが、ガンマテーブルはガンマ指数関数曲線に必ずしも適合しない。イメージャ動作システムの１つのタイプにおいては、正画像部分及び負画像部分を含むガンマテーブルを用いる。これは、ここで述べるガンマテーブルのタイプである。
【００１１】
図１Ａ及び１Ｂはスプレッドシートから抜粋したものであり、列の表題ＡからＦはスプレッドシートの列の表題に一致し、第１列の値１３２から１７４はスプレッドシートの行番号に一致している。総合すれば、図１Ａ及び１Ｂは、８ビット入力信号に応じて１０ビット出力信号を生成することにより輪郭を低減するために、部分的に異なる青のガンマテーブルを表す種々の列を示したものである。赤及び緑についても、同様の機能をもつガンマテーブルを用いることが可能である。図１Ａ及び１Ｂに示すように、１２９から１７１までの入力値が示され、全体的なテーブルにおいては、０から２５５までの入力値を網羅している。
【００１２】
図１Ａ及び１Ｂのテーブルの値を理解するためには、参照する具体的なＬＣＯＳシステムの説明が必要である。動作電圧が、ＬＣＯＳアレイの各々の側のプレート電極から印加される。ＬＣＯＳは、シリコンダイ上に形成された１つの大きな液晶と考えられる。シリコンダイを、微小プレートより成るインクリメンタルアレイに分割する。液晶の微小なインクリメンタル領域は、各々の微小プレート及び共通プレートにより生成される電界により影響される。各々のそのような微小プレートと対応する液晶領域は、総合的に、イメージャのセルを呼ばれる。各々のセルは、個別に制御可能な画素に対応する。共通プレート電極は液晶の他の側に配置されている。ガンマテーブルが関係する本発明の好ましいＬＣＯＳシステムにおいては、共通プレート電極は常に８ボルトの電位にある。微小プレートのアレイにおける他のプレートの各々は、２つの電圧領域で操作される。正画像に対しては、電圧は０乃至８ボルトの間の範囲内で変化される。負画像に対しては、電圧は８乃至１６ボルトの間の範囲内で変化される。
【００１３】
特に、イメージャに供給される光、即ちイメージャの各々のセルに供給される光は電界により偏光される。各々の液晶セルは、プレート電極によりセルに加えられる電界のＲＭＳ値に応じた入力光の偏光を回転させることができる。興味深いことに、印加された電界の正負を問わず、セルは極性に反応しない。各々の画素のセルの輝度は、セルに入射する光の偏光の回転の関数である。
【００１４】
この実施形態において、正画像又は負画像の場合に、セルを動作する電界が８ボルトであるゼロ電界に近づくにつれて、各々のセルはより白に近づき、十分オン状態になる。入力値はアナログ対デジタル（Ａ／Ｄ）変換器によりガンマテーブルに供給されることが可能であり、多くのインクリメンタルステップにおいて変化することが可能である。例えば、共通電極の電圧が０ボルトである場合、他のシステムを用いることが可能である。ここで教示する本発明の配置はすべてのそのような正及び負電界のＬＣＯＳ画像動作システムに対して適用可能である。如何なる場合でも、正画像は、共通プレート電極に加えられる電圧が、他の電極のアレイにおける可変プレート電圧の範囲における最も大きい値に等しいかそれより大きいときの正画像として定義される。それに対して、負画像は、共通プレート電極に加えられる電圧が、他の電極のアレイにおける可変プレート電圧の範囲における最も小さい値に等しいかそれより小さいときの負画像として定義される。
【００１５】
図１Ａ及び１Ｂに示すように、実施形態として示したガンマテーブルは、データと相関性を表す６つの列を含んでいる。実際、幾つかのその代わりとなるテーブルが存在する。示したガンマテーブルの一部は、青についてのテーブルの最も低い階調部分からのものであり、輪郭の問題が通常最も重大な問題となっている。殆どの場合、緑の輪郭は、青又は赤の輪郭より悪い。上記のように、第１列は１３２から１７４までの値をもっており、例として示したガンマテーブルを抜粋したスプレッドシートの行数に対応している。行Ａはガンマテーブルへの入力を示している。行ＢとＣは、従来技術のガンマ補正値を示している。列ＢとＣの各々において、輝度は各々の列を下にいく程大きくなる。列Ｄは、列Ｃの値に適用したディザから得られたガンマ補正値を示している。この単一ディザはテーブルディザと呼ばれている。列Ｅは、正テーブル及び負テーブルが列Ｂ及びＤのようにそれぞれ実行される場合に、正のガンマテーブルのみから生成される、対応する平均輝度を示している。列Ｆは、対応する列Ｅに略同じ平均輝度を示しているが、ただし、第２ディザが入力信号に適用される場合は例外であり注意を要する。第２ディザは、テーブルディザと区別するために、入力ディザと呼ばれている。テーブルディザと入力ディザを併せて、マルチプルディザと呼ばれている。
【００１６】
正画像が生成されたとき、出力値は列Ｂからもたらされる。負画像が生成されたとき。出力値は負テーブル、即ち列Ｃ及びＤで示される２つの可能なバージョンからもたらされる。ガンマテーブルは、負のテーブルの値が、正のテーブルの値と略同じ光強度を生成するように、ガンマテーブルが作られる。図１Ａ及び１Ｂに示されたガンマテーブルの一部は、輪郭の問題が通常最も重大である青のテーブルについての最も低い階調部分から得られたものである。従来技術の通常の実施においては、正画像には列Ｂが、負画像には列Ｃが用いられた。図１Ａ及び１Ｂに示すように、連続的な入力値が同じ一対の正出力値と負出力値を生成する、幾つかのテーブル内の位置がある。例えば、入力値１５０、１５１、１５２及び１５３（それぞれ、スプレッドシートの行番号の１５３から１５６までに対応する）は、列Ｂにおける正画像出力をして２３３を、そして列Ｃにおける負画像出力値として５９３を生成する。このように反復される値は、通常、結果的に得られる画像において視認性の輪郭を生成する。列Ｄにおいて示す、他の負画像ガンマテーブルは、列Ｃにおける値のディザに基づいている。列Ｄにおいて反復される値は列Ｃに比べてより少なくなっていることが分かる。例えば、第１ディザの適用に先立ち、入力値１５０、１５１、１５２及び１５３は、列Ｃに示すように、反復されるガンマ値５９３を得ている。第１ディザの適用後は、しかしながら、入力値１４９、１５０及び１５１のみが、列Ｄに示すように、反復されるガンマ値５９３を得ている。従って、反復は１回だけ減ったことになる。
【００１７】
本発明の好ましいテーブルディザの例として、スプレッドシートあって、Ｍｉｃｒｏｓｏｆｔ  Ｃｏｒｐｏｒａｔｉｏｎ（米国ワシントン州レッドモンド）により製造されているＭｉｃｒｏｓｏｆｔ  Ｅｘｃｅｌのようなスプレッドシート内で実施する次式を、入力値１５２について列Ｄのガンマ補正値を計算するために用いた。
＝ＩＦ（ＡＮＤ（Ｂ１５４＝Ｂ１５５，Ｂ１５３＝Ｂ１５５），Ｃ１５５−１，ＩＦ（ＡＮＤ（Ｂ１５５＝Ｂ１５４，Ｂ１５５＝Ｂ１５６，Ｂ１５５＜＞Ｂ１５３），Ｃ１５５，
ＩＦ（Ｂ１５５＝Ｂ１５４，Ｃ１５５−１，Ｃ１５５）））
上記説明はスプレッドシートのセルについてのものである。従って、図１Ａ及び１Ｂの第１列におけるスプレッドシートのセルの行番号と、ＡからＦまでの列の表題とを組み合わせて用いることにより、セルの位置を参照する。５つ以下の反復画像値を好適に用いて、ガンマテーブルにディザを適用するために、上式を使うことが可能である。
【００１８】
シーン領域の認識される輝度は、正画像輝度と負画像輝度の平均により決定される。列Ｅは、列Ｂ及び列Ｄの値を用いるときの正テーブル値に関連して、その入力値についての正画像及び負画像の平均の効果を示している。特に、入力値１５０から１５３は、列Ｅに示すように、２つのことなる輝度レベルの平均を生成し、結果的に輪郭の低減をもたらす。しかしながら、連続した入力に対する輝度レベルの反復の全てではないが、減少がみられることが判明した。
【００１９】
列Ｄの値を用いて、第１ディザを行った結果について、以下の例により示すことにする。ガンマテーブルに対する入力信号が１４２であるときであって、入力信号の更なるディザがない場合、列Ｅにおける結果は、対応する列Ｂと列Ｄにおける値の平均であり、それぞれ２２９と５９７である。その２つの列における値は、輝度において互いに等しいため、計算の意図するところのために、５９７を２２９に等しいとする。２２９に２２９を加算したものの平均は２２９であり、列Ｅに示した通りである。ガンマテーブルへの入力信号が１４３であるときであって、更なる入力信号のディザがない場合、列Ｅにおける結果は、対応する列Ｂと列Ｄにおける値の平均であって、それぞれ２２９と５９６である。計算の意図するところのために、５９６を２２９に等しいとする。２２９に２３０を加算したものの平均は２２９．５であり、列Ｅに示した通りである。以上のように、正画像値及び負画像値のセットの両方ではなく、それらのうちの１つのみを修正する必要がある。したがって、本発明の他の実施形態は、負ガンマ値ではなく、正ガンマ値に対するテーブルディザの適用を行うこととする。
【００２０】
本発明の配置にしたがった反復輝度レベルの全て又は少なくとも実質的に全てを削除するために、更なるディザ信号を入力信号に加えることが可能である。例えば、１つの最下位ビットのディザを８ビットの入力信号に加えることが可能である。このディザは、画素毎に、交互に小さくそして大きくすることが可能である。ディザの位相は各々のラインで逆にすることが可能であり、５点形の形状にすることが可能である。本発明の配置にしたがって、上記の２つの状態のディザの代わりに、４つの状態のディザを用いることが可能である。そのような多い状態のディザは、しかしながら、画像において隠すことが次第に難しくなる。
【００２１】
輪郭に関する２つの対策、即ちマルチプルディザの全体的な効果を調べるために、正画像及び負画像の出力と、入力ディザの大きい値及び小さい値のためのテーブルの出力を併せて平均をとる必要がある。その例について以下で説明する。
【００２２】
入力ディザの効果、即ち本発明の公的な実施形態における２つの状態のディザは、５０％のデューティサイクルをもつ２つの隣接するテーブルの入力信号の間のどちらつかずの入力信号を有することである。これは、２つのテーブル出力値ではなく、以下の例により示すように、４つのテーブル出力値の平均輝度を結果として得る。入力値を１４２と仮定する。入力信号の更なるディザは、入力として１４２を適用する時間の半分において１４２に等しく、入力値として１４２を適用する時間の他の半分において１４３に等しい、効果的な入力値を結果的に得る。効果的な入力が１４２であるとき、ガンマ値は２２９と５９７である（５９７は２２９に等しい）。効果的な入力が１４３であるとき、ガンマ値は２２９と５９６である（５９７は２３０に等しい）。２２９、２２９．２２９及び２３０の平均は２２９．２５であり、列Ｆに示す通りである。入力値を１４３と仮定する。入力信号の更なるディザは、入力として１４３を適用する時間の半分において１４３に等しく、入力値として１４３を適用する時間の他の半分において１４４に等しい、効果的な入力値を結果的に得る。効果的な入力が１４３であるとき、ガンマ値は２２９と５９６である（５９６は２３０に等しい）。効果的な入力が１４４であるとき、ガンマ値は２３０と５９６である（５９６は２３０に等しい）。２２９、２３０．２３０及び２３０の平均は２２９．７５であり、列Ｆに示す通りである。
【００２３】
実際にガンマテーブルが、操作されるべき列として列Ａ、Ｂ及びＤのみを含むだけでよいことは評価されるであろう。列Ｃの値が処理ｓｅｒｖｉｃｅの間、可変であって、列Ｄの値を再計算する必要がある場合にのみ、列Ｃは有用である。ただし、このとき、受信器のマイクロプロセッサはこの機能を実行するためにプログラムされているものとする。それは、列Ｄにおける値を生成するテーブルディザリングと、列Ｆにより明らかになった結果を達成する入力ディザリングである。列Ｆの値は操作により得られた結果であり、テーブル自身に盛り込まれる必要のないものである。
【００２４】
列Ｆに示すように、入力におけるインクリメンタルステップのために、本発明の配置にしたがってマルチプルディザリングが採用されるとき、対応する平均輝度において変化が存在する。対応する平均木戸における反復値がない場合は、輪郭がない、又は実質的にない。特定のイメージャシステムにおいて、最も小さい輝度入力値のための少ない数のガンマ値を一定とすることが可能であることは、留意するべきである。その場合、対応する平均輝度は、マルチプルディザリングによってさえ変化しない。たとえ輪郭がこれらの最も小さい輝度レベルにおける結果であったとしても、全体的な画像は、典型的には、非常にくすんでいて、輪郭があろうがなかろうが、認識することができない。したがって、全ての実際的な目的のために、本発明の配置は、画像における視認性輪郭を削除するか、実質的に低減する。
図２は、本発明にしたがったマルチプルディザシステムの実施形態を示すブロック図である。図２に示すように、マルチプルディザリングシステム１０は、任意のＡ／Ｄ変換器１２、ディザユニット１８、プロセッサ１４及びメモリユニット１６を含むことが可能である。例えば、当該技術分野では周知であるような通信バスを通り、通信可能であるように、各々の前述の構成要素を接続することが可能である。
【００２５】
本発明の１実施形態において、任意のＡ／Ｄ変換器１２は、受け取られるアナログ信号をデジタル化するために備えることが可能である。例えば、Ａ／Ｄ変換器１２は、正画像と負画像を含む、受け取られた二重フレーム入力信号を処理することが可能である。受け取られたアナログ信号を、ディザユニット１８及び／又はプロセッサ１４により処理するために、適切にフォーマットされたデジタル信号に変換することが可能である。しかしながら、ここで開示している本発明は、全体としてのデジタル環境において利用可能であることは、評価されることであるに違いない。その場合、デジタル入力を受け取ることが可能であり、その場合、Ａ／Ｄ変換器１２は含まれる必要はない。
【００２６】
それにも拘らず、デジタル化された入力信号をディザユニット１８に供給することが可能である。図２に示したように、ディザユニット１８は、プロセッサ１４に信号を供給するに先立ち、入力信号に１つの最下位ビットのディザを適用することが可能である。それ故、ディザリングされた信号をプロセッサ１４に供給することが可能である。プロセッサ１４は、当該分野では周知である、特定のデジタル信号プロセッサ又は比較的一般的なマイクロプロセッサのような種々のプロセッサのうちの何れかにすることが可能である。プロセッサ１４は、受け取られた信号にテーブルディザを適用することが可能である。更に具体的には、プロセッサ１４はメモリ１６にアクセスすることが可能であり、指令、アルゴリズム及び／又は記憶されるガンマテーブル１８をもつ揮発性又は不揮発性メモリとすることが可能である。メモリ１６に関して、プロセッサ１４は、受け取られた信号にテーブルディザを適用することが可能である。テーブルディザは、正画像又は負画像の一次カラーガンマ値を選択的に修正することが可能である。結果として得られる信号は、マルチプルディザを施され、ＬＣＯＳ表示装置に提供することが可能である。
【００２７】
図３は、本発明にしたがった輪郭を除去する方法３０の実施形態を示すフローチャートである。この方法は、入力信号を受取ることが可能である段階３２から開始する。上記のように、入力信号は、正画像及び負画像をもつ二重フレーム信号のデジタル表示とすることが可能である。
【００２８】
段階３４において、ガンマテーブルの入力で受け取られた入力信号にディザを適用することが可能である。例えば、１つの最下位ビットのディザ信号を入力信号に適用することが可能である。段階３４が完了した後、この方法は段階３６に続けることが可能である。段階３６において、テーブルディザを入力信号に適用することが可能である。例えば、ここで説明したように、テーブルディザを実施することが可能である当該技術分野において周知のデジタル信号処理アルゴリズムを用いて、テーブルディザを実施することが可能である。それに代えて、上記のように、ここで説明したガンマテーブル等のルックアップテーブルを用いて、テーブルディザを実施することが可能である。何れの場合においても、段階３６においては、テーブルディザの適用の結果として、入力信号のガンマ値を修正することが可能である。特に、これは、結果として得られる出力において輪郭を減少させることが可能である。段階３６終了後、この方法は段階３８を続けることが可能である。
【００２９】
段階３８において、減少した輝度レベルの反復をもつ出力信号を得ることが可能である。例えば、出力信号をＬＣＯＳ表示装置に供給することが可能である。段階３８が終了した後、更に、受け取られる信号を処理するために、必要に応じて、この方法を反復することが可能である。この方法は段階３８から段階３２に一巡して戻り、続いて受け取られる入力信号を処理することが可能である。
【００３０】
ここで記載した本発明の実施形態は、本発明の主旨及び本質的な特徴から逸脱しない限り、他の特定な形態において実施可能であり、したがって、上記の詳細な説明ではなく、請求の範囲を、本発明の適用範囲と認識されなければならない。
【図面の簡単な説明】
【図１Ａ】
代表的なガンマテーブルの抜粋を示す図である。
【図１Ｂ】
代表的なガンマテーブルの抜粋を示す図である。
【図２】
本発明の実施形態にしたがった代表的なマルチプルディザシステムを示すブロック図である。
【図３】
本発明の実施形態に従った輪郭を除去する代表的方法について示すフローチャートである。
【図１Ａ】
2004516520.tif 000003
【図１Ｂ】
2004516520.tif 000004
【図２】
2004516520.tif 000005
【図３】
2004516520.tif 000006
【国際公開パンフレット】
2004516520.tif 000007
2004516520.tif 000008
2004516520.tif 000009
2004516520.tif 000010
2004516520.tif 000011
2004516520.tif 000012
2004516520.tif 000013
2004516520.tif 000014
2004516520.tif 000015
2004516520.tif 000016
2004516520.tif 000017
2004516520.tif 000018
2004516520.tif 000019
2004516520.tif 000020
2004516520.tif 000021
2004516520.tif 000022
2004516520.tif 000023
2004516520.tif 000024
2004516520.tif 000025
2004516520.tif 000026
【国際公開パンフレット（コレクトバージョン）】
2004516520.tif 000027
2004516520.tif 000028
【国際調査報告】
2004516520.tif 000029
2004516520.tif 000030